(57)【要約】【課題】被記録媒体上に、偽造・改竄し難く、偽造防止効果に優れた判別用データを記録する記録方法、かかる記録方法により判別用データが記録された記録物、および、前記記録方法により判別用データが記録された判別用データを用いて、対象物の特定を行う照合方法を提供すること。【解決手段】本発明の記録方法は、記録用紙（被記録媒体）１０上に、蛍光性化合物および近赤外線吸収化合物の少なくとも一方を含むインクを用いて、文字、数字および記号のうちの少なくとも１種で構成される判別用データ１を記録するものである。これにより、本発明の記録物１００が得られる。本発明で記録される判別用データ１は、被記録媒体である記録用紙１０（記録物１００）を特定するための固有データ１１と、固有データ１１より前方に付されるスタートコード１２と、固有データ１１より後方に付されるストップコード１３とを含んでなる。【選択図】図１
2004291476.tif 000002
【特許請求の範囲】
【請求項１】
被記録媒体上に、蛍光性化合物および近赤外線吸収化合物の少なくとも一方を含むインクを用いて、文字、数字および記号のうちの少なくとも１種で構成される判別用データを記録する記録方法であって、
前記判別用データは、前記被記録媒体を特定するための固有データと、前記固有データより前方に付されるスタートコードと、前記固有データより後方に付されるストップコードとを含んでなることを特徴とする記録方法。
【請求項２】
前記スタートコードと前記ストップコードとは、互いに異なっている請求項１に記載の記録方法。
【請求項３】
前記固有データは、前記スタートコードおよび前記ストップコードを構成する文字、数字または記号を含んでいない請求項１または２に記載の記録方法。
【請求項４】
前記判別用データは、前記記録媒体上に複数記録される請求項１ないし３のいずれかに記載の記録方法。
【請求項５】
複数の前記判別用データは、整列して記録される請求項４に記載の記録方法。
【請求項６】
前記判別用データは、インクジェット方式により記録される請求項１ないし５のいずれかに記載の記録方法。
【請求項７】
前記被記録媒体上の前記判別用データを記録する領域内に、着色インクにより記録データを記録する請求項１ないし６のいずれかに記載の記録方法。
【請求項８】
前記判別用データと前記記録データとは、それらの一部が互いに重なるように記録される請求項７に記載の記録方法。
【請求項９】
前記判別用データは、その配列方向が前記記録データの配列方向に対して傾斜するように記録される請求項７または８に記載の記録方法。
【請求項１０】
前記記録データは、インクジェット方式により記録される請求項７ないし９のいずれかに記載の記録方法。
【請求項１１】
請求項１ないし１０のいずれかに記載の記録方法により判別用データが記録されてなることを特徴とする記録物。
【請求項１２】
請求項１ないし１０のいずれかに記載の記録方法により記録された判別用データを用いて、対象物の特定を行う照合方法であって、
前記対象物から、蛍光性化合物および近赤外線吸収化合物の少なくとも一方を含むインクにより記録されたデータを読み取る第１の工程と、
読み取られた前記データ中から、予め設定された前記スタートコードおよび前記ストップコードと一致するデータを検出し、これらの間に配列されたデータを照合用データとして抽出する第２の工程と、
前記照合用データと、予め設定された前記固有データとを照合する第３の工程とを有することを特徴とする照合方法。
【請求項１３】
前記第３の工程において、前記照合用データと、予め設定された前記固有データとを照合するのに先立って、
前記照合用データの桁数をカウントし、この桁数が予め設定された前記固有データの桁数と一致する前記照合用データに対して、予め設定された前記固有データとの照合を行う請求項１２に記載の照合方法。
【請求項１４】
前記第３の工程における照合結果に基づいて、前記対象物の真偽判定を行う第４の工程を有する請求項１２または１３に記載の照合方法。
【発明の詳細な説明】
【０００１】
【発明の属する技術分野】
本発明は、記録方法、記録物および照合方法に関する。
【０００２】
【従来の技術】
従来、印刷物の偽造防止を行う方法としては、いわゆる偽造防止用紙と称される特殊な紙に記録情報を印刷する方法や、通常の印刷用紙に、記録情報の他に、真偽判定を行うための認証用データを印刷する方法がある。
このうち、チケット印刷に広く用いられる偽造防止用紙を用いる方法は、偽造防止や改竄防止の効果が非常に高いが、偽造防止用紙は高度な印刷技術に依らなければ作成することができず、価格も高い。このため、レシート等の大量に発行される印刷物の偽造防止に用いるには実用性に欠ける。
【０００３】
一方、認証用データを印刷する方法は、記録情報とともに認証用データを印刷するだけで済むので、コストが低く、実用的である。この認証用データとしては、バーコード（例えば、特許文献１参照。）が一般的である。
しかしながら、バーコードは、コピー機で複製することができ、また市販のバーコード作成ソフトを用いれば、バーコード自体も作成することが可能である。このため、容易に偽造、改竄することができ、バーコードを認証用データとして用いる方法では、十分な偽造防止効果が得られない。
また、バーコードは、その原理上、他の記録情報と重ねて印刷することができないという欠点もある。
【０００４】
【特許文献１】
特開平４−２３７３８９号公報
【０００５】
【発明が解決しようとする課題】
本発明の目的は、被記録媒体の特定を正確に行うことができる判別用データを記録する記録方法、かかる記録方法により判別用データが記録された記録物、および、前記記録方法により判別用データが記録された判別用データを用いて、対象物の特定を行う照合方法を提供することにある。
【０００６】
【課題を解決するための手段】
このような目的は、下記の本発明により達成される。
本発明の記録方法は、被記録媒体上に、蛍光性化合物および近赤外線吸収化合物の少なくとも一方を含むインクを用いて、文字、数字および記号のうちの少なくとも１種で構成される判別用データを記録する記録方法であって、
前記判別用データは、前記被記録媒体を特定するための固有データと、前記固有データより前方に付されるスタートコードと、前記固有データより後方に付されるストップコードとを含んでなることを特徴とする。
本発明によれば、被記録媒体の特定を正確に行うことができる判別用データを記録することができる。
【０００７】
本発明の記録方法では、前記スタートコードと前記ストップコードとは、互いに異なっていることが好ましい。
これにより、固有データの始点および終点をさらに明確にすることができる。本発明の記録方法では、前記固有データは、前記スタートコードおよび前記ストップコードを構成する文字、数字または記号を含んでいないことが好ましい。これにより、固有データをより正確に抽出（検出）することができる。
【０００８】
本発明の記録方法では、前記判別用データは、前記記録媒体上に複数記録されることが好ましい。
これにより、判別用データの一部に破損、欠落等が生じた場合でも、他の正常な部分から判別用データを読み取ることが可能となる。
本発明の記録方法では、複数の前記判別用データは、整列して記録されることが好ましい。
これにより、データ照合のためにデータを読み取る際、データ読み込み方向をあらかじめ設定しておけば、複数の判別用データを容易に読み取ることが可能になる。
【０００９】
本発明の記録方法では、前記判別用データは、インクジェット方式により記録されることが好ましい。
これにより、判別用データを、精細かつ再現性よく記録することができるとともに、判別用データを構成する文字等の種類、配列等を容易に変更することができる。
本発明の記録方法では、前記被記録媒体上の前記判別用データを記録する領域内に、着色インクにより記録データを記録することが好ましい。
これにより、被記録媒体のサイズが大型化するのを防止しつつ、多くの記録データを被記録媒体上に記録することができる。
【００１０】
本発明の記録方法では、前記判別用データと前記記録データとは、それらの一部が互いに重なるように記録されることが好ましい。
これにより、判別用データ、記録データの改ざんを防止でき、また、光学読み取り装置を用いて印刷物（記録物）から判別用データを、記録された状態と全く同じ状態で読み取り難くすることができる。
【００１１】
本発明の記録方法では、前記判別用データは、その配列方向が前記記録データの配列方向に対して傾斜するように記録されることが好ましい。
これにより、判別用データがより偽造、改ざんし難いものとなる。
本発明の記録方法では、前記記録データは、インクジェット方式により記録されることが好ましい。
これにより、記録データを、精細かつ再現性よく記録することができるとともに、記録データを構成する文字等の種類、配列等を容易に変更することができる。
本発明の記録物は、本発明の記録方法により判別用データが記録されてなることを特徴とする。
本発明によれば、被記録媒体（記録物）の特定を正確に行うことができる。
【００１２】
本発明の照合方法は、本発明の記録方法により記録された判別用データを用いて、対象物の特定を行う照合方法であって、
前記対象物から、蛍光性化合物および近赤外線吸収化合物の少なくとも一方を含むインクにより記録されたデータを読み取る第１の工程と、
読み取られた前記データ中から、予め設定された前記スタートコードおよび前記ストップコードと一致するデータを検出し、これらの間に配列されたデータを照合用データとして抽出する第２の工程と、
前記照合用データと、予め設定された前記固有データとを照合する第３の工程とを有することを特徴とする。
本発明によれば、対象物の特定を正確に行うことができる。
【００１３】
本発明の照合方法では、前記第３の工程において、前記照合用データと、予め設定された前記固有データとを照合するのに先立って、
前記照合用データの桁数をカウントし、この桁数が予め設定された前記固有データの桁数と一致する前記照合用データに対して、予め設定された前記固有データとの照合を行うことが好ましい。
これにより、対象物の特定をより正確に行うことができる。
本発明の照合方法では、前記第３の工程における照合結果に基づいて、前記対象物の真偽判定を行う第４の工程を有することが好ましい。
本発明の照合方法は、種々の目的で使用可能であるが、対象物の真偽判定を行う場合への適用が好適である。
【００１４】
【発明の実施の形態】
以下、本発明の記録方法、記録物および照合方法を添付図面に示す好適な実施形態に基づいて詳細に説明する。
＜記録方法および記録物＞
まず、本発明の記録方法および記録物について説明する。
【００１５】
図１は、本発明の記録物の実施形態を示す模式図、図２は、図１に示す記録物に記録された判別用データの構成を示す図である。
図１に示す記録物（印刷物）１００は、記録用紙（被記録媒体）１０上に、本発明の記録方法によりデータが記録（印刷）されてなるものであり、蛍光性化合物および近赤外線吸収化合物の少なくとも一方を含むインク（以下、「判別用インク」と言う。）により、図１中細字で示す判別用データ１が記録されるとともに、着色インクにより図１中太字で示す記録データ２が記録されている。
【００１６】
判別用データ１は、例えば、これが記録された記録用紙１０（記録物１００）の真偽判定や、作成（製造）年月日（時間的な相違）、種類の相違ような分類等に使用されるものである。なお、以下、本明細書中では、判別用データ１を真偽判定に用いる場合を代表にして説明する。
本発明では、判別用データ１を記録するのに際し、前述したような判別用インクを用いる。これにより、複写機による判別用データ１の複製を効果的に防止することができる。
【００１７】
また、蛍光性化合物および近赤外線吸収化合物の種類等を適宜選択することにより、判別用データ１を目視認識できないようにすることができる。これにより、判別用データ１の偽造、改竄をより確実に防止することができる。
蛍光性化合物は、光照射により蛍光を発する化合物であり、この蛍光性化合物としては、可視光を吸収する蛍光性化合物、可視光を実質的に吸収しない蛍光性化合物のいずれでもよく、励起波長、蛍光のスペクトルも特に限定されず、所望の判別用データ１に応じて適宜選択することができる。
【００１８】
例えば、目視認識が可能な判別用データ１を記録する場合、蛍光性化合物には、可視光を吸収し、より長波長の可視光を発光する蛍光性化合物を用いることができる。一方、目視認識できない判別用データ１を記録する場合、蛍光性化合物には、可視光を実質的に吸収せず、かつ紫外光を吸収し可視光領域に蛍光を発光する蛍光性化合物を用いることができる。
【００１９】
ここで、目視認識できない判別用データ１を記録する場合、前記光学特性を有する蛍光性化合物を用いる以外に、例えば、可視光を吸収する蛍光性化合物のうち記録用紙１０と同じ色相を呈するものを使用することにより、目視認識できない状態となるようにしてもよく、可視光を吸収し、より長波長の光を発光する蛍光性化合物を、目視認識できない程度となるような濃度で判別用インク中に添加するようにしてもよい。
【００２０】
蛍光性化合物としては、例えば、蛍光増白剤や、蛍光染料、蛍光顔料のような蛍光色素等が挙げられ、これらのうちの１種または２種以上を組み合わせて用いることができる。
蛍光増白剤としては、例えば、ジアミノスチルベン系、ジスチリルビフェニル系、イミダゾール系、ナフタルイミド系、クマリン系等の各種のものを用いることができる。
【００２１】
蛍光増白剤の市販品としては、例えば、日本化薬カラーズ社製の「Ｋａｙａｐｈｏｒ  ＡＰ  Ｌｉｑｕｉｄ」、「Ｋａｙａｐｈｏｒ  ＰＡＳ  Ｌｉｑｕｉｄ」、「Ｋａｙａｐｈｏｒ  ＧＭＹ  Ｌｉｑｕｉｄ」、「Ｋａｙａｐｈｏｒ  Ｓ  Ｌｉｑｕｉｄ」、チバスペシャリティーケミカルズ社製の「Ｔｉｎｏｐａｌ  ＵＰＬｉｑｕｉｄ」、「Ｔｉｎｏｐａｌ  ＡＢＰ−Ｚ  Ｌｉｑｕｉｄ」、「Ｔｉｎｏｐａｌ  ＭＳＰ  Ｌｉｑｕｉｄ」、「ＵＶＩＴＥＸ  ＮＦＷ  Ｌｉｑｕｉｄ」等に含まれる（溶解または分散された）ものが挙げられる。
また、蛍光増白剤としては、例えば、特開昭５８−４９７６５号公報、特開平８−１９９１０１号公報等に記載の化合物（実質的に可視光領域の波長の光を吸収しない化合物）や、特開平８−２５３７１５号公報、特開平１０−１７５７１号公報等に記載のユーロピウムを含む有機化合物等を用いることもできる。
【００２２】
蛍光色素としては、例えば、日本化薬カラーズ社製の「Ｋａｙａｒｕｓ  Ｌｉｇｈｔ  Ｙｅｌｌｏｗ  Ｆ８Ｇ」、「Ｋａｙａｎｏｌ  Ｂｒｉｌｌｉａｎｔ  Ｆｌａｖｉｎｅ  ＦＬ」、「Ｋａｙａｓｅｔ  Ｆｌａｖｉｎｅ  Ｆ２Ｇ」、「Ｋａｙａｃｒｙｌ  Ｂｒｉｌｌ．Ｐｉｎｋ  Ｂ−ＥＤ」、「Ｋａｙａｃｒｙｌ  Ｂｒｉｌｌ．Ｐｉｎｋ  Ｂ２００」等の粉体、または、日本化薬カラーズ社製の「Ｋａｙａｆｅｃｔ  Ｙｅｌｌｏｗ  Ｇ  Ｌｉｑｕｉｄ」、日本螢光化学社製の「ＬＵＭＩＫＯＬ  ＮＫＷ−３００２」、「ＬＵＭＩＫＯＬ  ＮＫＷ−３００３」、「ＬＵＭＩＫＯＬ  ＮＫＷ−３００４」、「ＬＵＭＩＫＯＬ  ＮＫＷ−３００５」、「ＬＵＭＩＫＯＬ  ＮＫＷ−３００７」、シンロイヒ社製の「ＳＦ−５０１２」、「ＳＦ−５０１３」、「ＳＦ−５０１４」、「ＳＦ−５０１５」、「ＳＦ−５０１７」等に含まれる（溶解または分散された）ものを用いることができる。
また、蛍光色素としては、例えば、特開昭５８−４９７６５号公報、特開平９−７８０１２号公報、特開平９−３０２２９３号公報等に記載の化合物（可視光領域の波長の光を吸収する化合物）を用いることもできる。
【００２３】
一方、近赤外線吸収化合物は、光照射により、７００〜１０００ｎｍ程度の領域の波長の光を吸収する化合物である。
この近赤外線吸収化合物としては、例えば、アントラキノン系、シアニン系化合物等が挙げられ、これらのうちの１種または２種以上を組み合わせて用いることができる。
【００２４】
近赤外線吸収化合物の市販品としては、例えば、三井化学社製の「ＳＩＲ−１１４」、「ＳＩＲ−１２８」、日本化薬カラーズ社製の「ＫＡＹＡＳＯＲＢ  ＣＹ−１７」、林原生物化学研究所社製の「ＮＫ−５４０２」、ＡＶＥＣＩＡ社製の「ＰＲＯ−ＪＥＴ８２５ＬＤＩ」、「ＤＥＶＥＬＯＰＭＥＮＴＡＬ  ＭＡＴＥＲＩＡＬ  Ｓ１７４９６３」、Ｈ．Ｗ．ＳＡＮＤ  ＣＯＲＰ社製の「ＳＤＡ４９２７」等が挙げられる。
なお、判別用インクには、蛍光性化合物と近赤外線吸収化合物とを組み合わせて用いるようにしてもよい。
【００２５】
判別用インクは、このような蛍光性化合物および近赤外線吸収化合物の少なくとも一方を溶媒に溶解、または分散媒に分散させることにより調製される。
蛍光性化合物および／または近赤外線吸収化合物の含有量は化合物の種類にもよるが、０．０５〜１０ｗｔ％程度であるのが好ましく、０．１〜５ｗｔ％程度であるのがより好ましい。含有量が少な過ぎると、発せられる蛍光の強度や近赤外線の吸収量が小さくなり、読み取り装置等による判別用データ１の読み取りが困難になるおそれがある。一方、含有率が多過ぎると、例えばインクジェット方式により判別用データ１を記録する場合には、蛍光性化合物や近赤外線吸収化合物の種類等によっては、インクジェットヘッドのノズル先端に目詰まりが発生し易くなり、記録信頼性（印刷信頼性）が低下するおそれがある。
【００２６】
溶媒または分散媒としては、水を単独で使用してもよいが、水を主成分とし、保湿剤や界面活性剤を含む液体を用いるのが好ましい。
保湿剤は、判別用インクに適度な粘度を与え、また、蛍光性化合物や近赤外線吸収化合物のノズル表面への析出やノズル内での蛍光性化合物や、近赤外線吸収化合物の凝集を防止する機能も有する。
【００２７】
保湿剤としては、例えば、エチレングリコール、ジエチレングリコール、トリエチレングリコール、テトラエチレングリコール、プロピレングリコール、ジプロピレングリコール、トリプロピレングリコール、分子量２０００以下のポリエチレングリコール、１、３−プロピレングリコール、イソプロピレングリコール、１、４−ブタンジオール、１、３−ブタンジオール、１、５−ペンタンジオール、１、６−ヘキサンジオール、グリセリン、チオジグリコール等が挙げられるが、特に、グリセリン、１，５−ペンタンジオール、エチレングリコール、ジエチレングリコール、または、これらを含む混合物が好適である。これらのものを用いることにより、判別用インクの粘度を適正に制御することができるとともに、ノズルの目詰まりをより確実に防止することができる。
保湿剤の含有量は、特に限定されないが、３〜４０ｗｔ％程度であるのが好ましく、５〜３０ｗｔ％程度であるのがより好ましい。保湿剤の含有量を、このような範囲とすることにより、前記効果がより顕著に発揮される。
【００２８】
界面活性剤は、インクの表面張力を低下させることにより、ノズルからの安定した吐出を可能とするとともに、インクをすばやく乾燥させる機能を有する。
界面活性剤としては、公知のアニオン系、カチオン系、ノニオン系の界面活性剤のいずれかを使用することができるが、これらの中でも、特にアセチレングリコール系界面活性剤が好適である。界面活性剤として、アセチレングリコール系界面活性剤を用いることにより、前記機能をより向上させることができるとともに、蛍光性化合物や近赤外線吸収化合物の溶媒への溶解性や分散媒への分散性、インクの記録用紙１０への浸透性を向上させることもできる。
【００２９】
このアセチレングリコール系界面活性剤の市販品としては、例えば、サーフィノール１０４、８２、４６５、４８５（いずれも、Ａｉｒ  Ｐｒｏｄｕｃｔｓ  ａｎｄ  Ｃｈｅｍｉｃａｌｓ製）等が挙げられ、これらのうちの１種または２種以上を組み合わせて用いることができる。
界面活性剤の含有量は、特に限定されないが、０．１〜５．０ｗｔ％程度であるのが好ましい。界面活性剤の含有量を、このような範囲とすることにより、前記効果がより顕著に発揮される。
【００３０】
図１に示すように、本発明では、判別用データ１は、文字、数字および記号のうちの少なくとも１種（以下、これらを総称して「文字」と言う。）で構成される。文字の組み合わせは、バーコードを構成するバーに比べて組み合わせが多様である。したがって、文字を用いて判別用データ１を構成することにより、偽造防止効果をより向上させることができる。
【００３１】
文字としては、ひらがな、カタカナ、アルファベット等が、数字としては、算用数字、ギリシャ数字等が、また、記号としては、学術記号等を用いることができる。
判別用データ１は、１種類の文字の組み合わせ（例えば、数字のみの組み合わせ等）であってもよく、２種類以上の文字の組み合わせ（例えば、図１に示すような記号と数字の組み合わせ等）であってもよい。
【００３２】
図２に示すように、判別用データ１は、固有データ１１と、固有データ１１の前方に付されるスタートコード１２と、固有データ１１の後方に付されるストップコード１３とで構成されている。
固有データ１１は、記録用紙１０（記録物１００）を特定するための部分であり、複数の文字（図示の構成では、１２桁の数字）で構成されている。
【００３３】
スタートコード１２は、固有データ１１の始点の指標となる部分であり、ストップコード１３は、固有データ１１の終点の指標となる部分であり、それぞれ、異なる記号（図示の構成では、「＃」および「＆」）で構成されている。
スタートコード１２およびストップコード１３を設け、固有データ１１の始点および終点の指標とすることにより、固有データ１１の範囲をより明確にすることができる。
【００３４】
また、これらのスタートコード１２とストップコード１３とを、互いに異なる文字で構成することにより、固有データ１１の始点および終点をさらに明確にすることができる。なお、図示の構成では、スタートコード１２およびストップコード１３は、いずれも、１つの文字で構成されているが、これらは、複数の文字で構成されていてもよい。
【００３５】
さらに、固有データ１１は、スタートコード１２およびストップコード１３を構成する文字を含んでいてもよいが、図示の構成のように、スタートコード１２およびストップコード１３を構成する文字を含んでいないのが好ましい。換言すれば、スタートコード１２およびストップコード１３には、それぞれ、固有データ１１を構成する文字以外の文字を使用するのが好ましい。これにより、固有データ１１をより正確に抽出（検出）することができる。
【００３６】
このような判別用データ１は、記録用紙１０上に、複数、整列して記録されている。複数の判別用データ１を記録用紙１０上に記録しておくことにより、判別用データ１の一部に破損、欠落等が生じた場合でも、他の正常な部分から判別用データ１を読み取ることが可能となり、記録物１００（記録用紙１０）の真偽判定を安定かつ確実に行うことができる。
特に、判別用データ１を整列して記録することにより、データの照合のためにデータを読み取る際、データ読み取り方向をあらかじめ設定しておけば、複数の判別用データ１を容易に読み取ることが可能となるという効果が得られる。
【００３７】
また、記録用紙１０上の判別用データ１が記録された領域内には、着色インクによる記録データ２が記録されている。これにより、記録用紙１０のサイズが大型化するのを防止ししつつ、多くの記録データ２（情報）を記録用紙１０上に記録することができる。
この記録データ２は、文字、数字、記号、図形またはこれらを任意に組み合わせたもので構成することができる。図示の構成では、記録データ２として、記録用紙１０上に、販売店名、販売店の電話番号、顧客への情報、販売日、販売員名、商品名、商品代金等が記録されている。
【００３８】
着色インクとしては、染料、顔料またはこれらの混合物を着色剤として含むインクを用いることができる。なお、着色インクには、１色のみならず、任意の２色以上の複数色を組み合わせて用いることもできる。
また、判別用データ１と記録データ２とは、それらの一部が互いに重なるように記録されている。これにより、判別用データ１および記録データ２の改ざんを防止でき、また、光学読み取り装置を用いて、印刷物（記録物１００）から判別用データ１を、記録された状態と全く同じ状態で読み取り難くすることができる。
【００３９】
さらに、判別用データ１は、その配列方向（図１中Ａ方向）が記録データ２の配列方向（図１中Ｂ方向）に対して、所定角度（図１中θ）傾斜するように記録されている。これにより、判別用データ１がより偽造・改竄し難いものとなり、その結果、記録物１００の偽造をより確実に防止することができる。
なお、この場合、判別用データ１の少なくとも１つが、記録データ２と重ならないように、判別用データ１の条件と記録データ２の条件とがそれぞれ設定される。この条件としては、例えば、判別用データ１および／または記録データ２の記録位置、判別用データ１および／または記録データ２を構成する領域をあらかじめ定めておけばよい。
【００４０】
本実施形態では、判別用データ１の固有データ１１は、例えば、次の（１）〜（６）の方法により設定される。
（１）  記録データ２の属性に基づき、例えば、商品名、販売日をその順番に選択する等、予め設定された選択基準に従って選択する方法
（２）  非記録データ（記録用紙１０上に記録されないデータ）の属性に基づき、予め設定された選択基準に従って選択する方法
（３）  記録データ２の属性と、乱数発生器等を用いて発生した乱数とに基づいてランダムに設定される選択基準に従って選択する方法
（４）  非記録データの属性と、乱数発生器等を用いて発生した乱数とに基づいてランダムに設定される選択基準に従って選択する方法
（５）  前記（１）〜（４）の方法のうちの任意の２つ以上の方法を併用して選択する方法
（６）  乱数発生器等を用いて、記録データ２や非印刷データの属性とは無関係に選択する方法
これらのうち、特に（６）の方法により判別用データ１を設定するのが好ましい。これにより、第三者により判別用データ１がより推定し難いものとなり、判別用データ１の偽造・改竄をより確実に防止することができる。
【００４１】
また、これと同じ理由から、判別用データ１は、定期的に変更するのが好ましく、特に、記録物１００の作成毎に更新するのが好ましい。
このような記録物１００を、判別用インクと着色用インクとを用いて作成する方法、すなわち、本発明の記録方法による記録用紙１０上への判別用データ１と記録データ２との記録には、いずれも、インクジェット方式を用いるのが好適である。
【００４２】
かかるインクジェット方式によれば、判別用データ１および記録データ２を、精細かつ再現性よく記録することができる。また、判別用データ１および記録データ２を構成する文字等の種類、配列等を容易に変更することができる。このようなことから、記録物１００をより偽造し難いものとすることができる。
なお、判別用データ１および記録データ２の記録には、ペン等の筆記具による方式、その他の各種方式を用いることもできる。
【００４３】
また、判別用データ１および記録データ２の記録には、それそれ同じ方式を用いてもよく、互いに異なる方式を用いるようにしてもよい。
また、判別用データ１は、先に記録データ２が記録された記録用紙１０上に記録してもよく、記録データ２を記録用紙１０上に記録する前に記録するようにしてもよい。さらに、判別用データ１と記録データ２とをほぼ同時に記録用紙１０上に記録するようにしてもよい。インクジェット方式によれば、判別用データ１と記録データ２とをほぼ同時に記録用紙１０上に記録することが容易である。
【００４４】
ここで、インクジェット方式に用いられるインクジェットヘッドの一例を説明する。
図３は、インクジェットヘッドの外観斜視図、図４は、図３中のＸ−Ｘ線断面図である。なお、図３および図４は、いずれも、通常使用される状態とは、上下逆に示されている。
【００４５】
図３に示すように、インクジェットヘッド３は、ノズル板３１、キャビティ板３２および配線板３３とを有しており、キャビティ板３２を挟むようにしてノズル板３１と配線板３３が配置されている。
ノズル板３１には、着色インクを吐出する第１のノズル孔群３１４と、判別用インクを吐出する第２のノズル孔群３１５が形成されている。
【００４６】
第１のノズル孔群３１４および第２のノズル孔群３１５を構成する各ノズル孔３１３の形状は、例えば円形であり、その直径は、例えば２０〜４０μｍ程度とされる。
このノズル孔３１３は、第１のノズル孔群３１４および第２のノズル孔群３１５において、それぞれ、ほぼ等間隔で設けられている。そして、第１のノズル孔群３１４の各ノズル孔３１３と、第２のノズル孔群３１５の各ノズル孔３１３とは、互いに千鳥状となるように、すなわち、互いにそれらの配列方向にズレるようにして設けられている。
これにより、着色インクのインク液滴４０の着弾の中心位置と判別用インクのインク液滴４０の着弾の中心位置とが一致することが防止され、同一位置でのインクの量が不要に増大することを防止することができる。その結果、印字品質や記録物１００の速乾性が向上する。
【００４７】
キャビティ板３２は、図４に示すように、ノズル板３１との対向面に複数の段差が設けられ、ノズル板３１との間に空隙が形成されている。
この空隙は、各々区切られた複数の圧力室３４と、圧力室３４の側部に設けられたオリフィス３５と、圧力室３４にインクを供給する共通インク室３６とを有しており、共通インク室３６にはインク取込口（図示せず）が連通している。
また、キャビティ板３２の圧力室３４の底部に対応する部分は、薄肉とされており、圧力室３４の圧力を変動させる振動板３７として機能する。
【００４８】
配線板３３は、振動板３７と対向する部分が凹部とされており、振動板３７との間に振動室３８が形成されている。この振動室３８の底面には、振動板３７に対向する各々の位置に個別電極３９が形成されている。なお、個別電極３９は、それぞれ、リード部および端子部（図示せず）に接続されている。
この振動板３７、振動室３８および個別電極３９によって、静電アクチュエータが構成されている。
【００４９】
このようなインクジェットヘッド３では、駆動回路により静電アクチュエータに充電が行われ、ここに発生する静電気力によって、振動板３７が個別電極３９側に撓む。これにより、圧力室３４内の圧力が低下し、共通インク室３６から圧力室３４内にインクが引き込まれる。その後、充電を停止し、静電アクチュエータに蓄えられた電荷を急激に放電すると、振動板３７自体の弾性力で振動板３７は、ほぼ元の形状に復元する。この時、圧力室３４内の圧力が急激に上昇し、ノズル孔３１３よりインク液滴４０が吐出され、記録用紙１０上に付着することにより所望のデータが記録される。
【００５０】
以上説明したように、本発明によれば、偽造・改竄し難くい判別用データ１を記録用紙１０上に記録することができる。また、判別用データ１に用いる文字の種類や配列等を適宜設定することにより、前記効果をより顕著なものとすることができる。
なお、判別用データ１は、固有データ１１、スタートコード１２およびストップコード１３を含んでなるものであればよく、スタートコード１２の前方、スッとプコード１３の後方、固有データ１１とスタートコード１２およびストップコード１３との間に、意味を有さない部分を有するものであってもよい。
【００５１】
＜照合方法＞
次に、本発明の照合方法について説明する。
本発明の照合方法は、本発明の記録方法により記録された判別用データ１を用いて、対象物の真偽判定（特定）を行うものである。この場合、対象物としては、真正な記録物１００（以下、「真正品」と言う。）、および、この真正品と同一または類似の外観を有する記録物（以下、「偽造品」と言う。）である。
このような照合方法は、例えば、図５および図６に示すような照合システムを用いて行われる。
【００５２】
図５は、照合システムの全体構成を示すブロック図、図６は、図５に示す照合システムが備えるデータ照合部を示すブロック図である。
図５に示す照合システム４は、光学読み取り装置４１、画像メモリ４２、フィールド検出部４３、文字切出部４４、文字認識部４５、認識結果メモリ４６、データ照合部４７および表示部４８を有している。
【００５３】
光学読み取り装置４１は、真偽判定の対象となる対象物から、蛍光性化合物および近赤外線吸収化合物の少なくとも一方を含むインクにより記録されたデータを画像情報として光学的に読み取るものであり、光源および光学像を撮影するための撮像装置等によって構成されている。
光源の種類は、判別用インクに使用した蛍光性化合物の励起波長、近赤外線吸収化合物の吸収波長に応じて適宜選択され、また、撮像装置には、例えばＣＣＤ等が用いられる。
【００５４】
画像メモリ４２は、光学読み取り装置４１で読み取られた画像情報を一時的に格納し、フィールド検出部４３に出力する。
フィールド検出部４３は、真正品に設定されているフォーマット情報にしたがって、得られた画像情報から、真正品において判別用データ１が印刷されているべきフィールド位置を検出し、そのフィールドイメージを文字切出部４４に出力する。
ここで、フォーマット情報とは、記録用紙１０の給紙方向、判別用データ１の記録データ２に対する傾斜角度等が挙げられる。
【００５５】
文字切出部４４は、フィールドイメージ中の文字イメージを１文字単位で切り出し、文字認識部４５に出力する。
文字認識部４５は、切り出された文字イメージの特徴を抽出して、文字を認識して文字データに変換し、認識結果メモリ４６に出力する。
認識結果メモリ４６は、文字認識部４５で認識された文字データで構成される読み取りデータを記憶、蓄積し、データ照合部４７に出力する。
【００５６】
データ照合部４７は、図６に示すように、照合用データ検出部４７１、読み取り結果メモリ４７２、桁数カウント部４７３および判定部４７４で構成されている。
照合用データ検出部４７１は、蓄積された読み取りデータから、予め設定されたスタートコード１２とストップコード１３と一致するデータを検出し、これらの間に配列されたデータを照合用データとして抽出する。
読み取り結果メモリ４７２は、照合用データ検出部４７１で抽出された照合用データを記憶、蓄積する。
【００５７】
桁数カウント部４７３は、各照合用データの桁数をカウントし、桁数が、予め設定された固有データ１１の桁数と一致する照合用データを選択する。
判定部４７４は、桁数カウント部４７３で選択された照合用データを、予め設定された固有データ１１と照合し、この照合結果に基づいて、対象物の真偽判定を行う。
表示部４８には、判定部４７４で判定された判定結果が表示される。
【００５８】
次に、このような照合システム４の動作の一例に説明する。
ここで、真正品に予め設定された判別用データ１は、図２に示す「＃３６２３５４９７８９９９＆」であり、このうちスタートコード１２は「＃」、ストップコード１３は「＆」、固有データ１１は「３６２３５４９７８９９９」である。また、この判別用データ１の配列方向（図１中Ａ方向）は、記録データ２（レシート情報）の配列方向（図１中Ｂ方向）に対して４５゜（図１中θ）傾斜した方向に設定されている。
【００５９】
［１］  データの読み取り工程（第１の工程）
［１−１］  まず、対象物のデータ記録面を、光学読み取り装置４１で図１中Ｙ方向に読み込みを行う。
光学読み取り装置４１では、光照射によって得られた蛍光発光画像または近赤外線吸収画像が取り込まれ、２値化処理等の画像処理が施される。この画像情報は、記録用紙１０の給紙方向（光学読み取り装置の読み取り方向）に対して４５゜の角度で読み取られ、画像メモリ４２に格納される。
次いで、蛍光発光画像または近赤外線吸収画像が得られた場合には、得られた画像情報は、フィールド検出部４３に出力される。
【００６０】
［１−２］  フィールド検出部４３では、真正品に設定されているフォーマット情報にしたがって、得られた画像情報から、真正品において判別用データ１が印刷されているべきフィールド位置が検出される。
具体的には、対象物の給紙方向がＹ方向、判別用データ１の記録データ２に対する傾斜角度が４５゜であり、このフォーマット情報にしたがってフィールド位置が検出される。この検出されたフィールド位置は、文字切出部４４に出力される。
【００６１】
［１−３］  文字切出部４４では、フィールドイメージ中の文字イメージが１文字単位で切り出される。この文字イメージは、文字認識部４５に出力される。文字認識部４５は、切り出された文字イメージの特徴を抽出して、文字を認識して文字データに変換し、認識結果メモリ４６に出力する。
この文字データで構成される読み取りデータは、認識結果メモリ４６に記憶、蓄積された後、データ照合部４７の照合用データ検出部４７１に出力される。
【００６２】
［２］  照合用データの抽出工程（第２の工程）
［２−１］  照合用データ検出部４７１では、読み取りデータから、予め設定されたスタートコード１２とストップコード１３と一致するデータを検出する。ここで、予め設定されたスタートコード１２とストップコード１３と一致するデータが検出されない場合は照合用データとして用いない。１つも照合用データがない場合、対象物は偽造品と判定され、照合が中止される。この結果は、例えば、表示部４８の表示画面に表示等される。
【００６３】
次いで、スタートコード１２とストップコード１３と一致するデータが１つ以上検出された場合には、これらの間に配列されたデータを照合用データとして抽出する。
このようにして、照合用データを抽出することにより、照合用データの一部のみを照合用データの全部として抽出することや、隣り合う別々の照合用データを１つの照合用データとして抽出すること等の誤検出が防止される。
この抽出された照合用データは、読み取り結果メモリ４７２に記憶、蓄積された後、桁数カウント部４７３に出力される。
【００６４】
［２−２］  桁数カウント部４７３では、各照合用データの桁数がカウントされ、予め設定された固有データ１１の桁数と一致する照合用データが選択され、判定部４７４に出力される。
このように、予め設定された固有データ１１の桁数と一致する照合用データに対して、次工程における照合がなされる構成とすることにより、特に着色インクによる記録データ２と判別用データ１とがそれらの一部が互いに重なるように記録されている場合でも、対象物の真偽判定をより正確に行うことができる。
【００６５】
すなわち、判別用データ１と記録データ２とが重なっている部分では、蛍光発光強度または近赤外線吸収強度が低くなり、データの一部が欠落した状態で照合用データとして認識されるおそれがあるが、予め設定された固有データ１１の桁数と一致する照合用データを照合に用いると、データの一部が欠落した照合用データは、照合対象から排除されるので、真偽判定をより正確に行うことができる。
ここで、予め設定された固有データ１１の桁数と一致するデータが１つも存在しない対象物は、偽造品と判定され、照合が中止される。この結果は、例えば、表示部４８の表示画面に表示等される。
【００６６】
［３］  照合用データの照合工程（第３の工程、第４の工程）
判定部４７４では、桁数カウント部４７３で選択された照合用データを、予め設定された固有データ１１と照合する。
具体的には、照合用データを構成する文字の種類、配列が、予め設定された固有データ１１を構成する文字の種類、配列と一致するか否かを確認する。
【００６７】
そして、この照合結果に基づいて、照合用データを構成する文字の種類、配列が、予め設定された固有データ１１を構成する文字の種類、配列と一致する場合、対象物は真正品であると判定され、これらが一致しない場合、照合用データとして用いない。処理を繰り返し、１つも予め設定された固有データ１１と一致する照合用データがない場合、対象物は偽造品であると判定される。
この結果は、表示部４８の表示画面に表示等される。この表示により、操作者は、対象物の真偽の判定結果を把握することができる。
【００６８】
以上説明したように、本発明によれば、対象物の照合（特定）を正確に行うことができる。特に、照合用データのうち、桁数が予め設定された固有データ１１と一致するものを照合に用いることにより、対象物の照合をより正確に行うことができる。
なお、本発明の照合方法は、対象物の真偽判定を行う場合への適用に限定されるものではなく、例えば、対象物の作成（製造）年月日（時間的な相違）、対象物の種類の相違がある対象物の分類等を行う場合に適用することもできる。
【００６９】
【実施例】
次に、本発明の具体的実施例について説明する。
（実施例１）
まず、蛍光性化合物としてＫａｙａｐｈｏｒ  Ｌｉｇｈｔ  Ｙｅｌｌｏｗ  Ｆ８Ｇ（日本化薬カラーズ社製）を、また、保湿剤としてエチレングリコール、および、界面活性剤としてサーフィノール８２（Ａｉｒ  Ｐｒｏｄｕｃｔｓ  ａｎｄ  Ｃｈｅｍｉｃａｌｓ製）を、それぞれ用意した。
【００７０】
次に、これらの各成分と超純水とを、Ｋａｙａｐｈｏｒ  Ｌｉｇｈｔ  Ｙｅｌｌｏｗ  Ｆ８Ｇ：０．５ｗｔ％、エチレングリコール：７．５ｗｔ％、サーフィノール８２：２．０ｗｔ％となるように混合して、蛍光インク（判別用インク）を調製した。
そして、記録用紙（被記録媒体）として王子レジ用４５ｋｇ紙（王子製紙社製）を用意し、この王子レジ用４５ｋｇ紙上に、図１に示すイメージで、判別用データおよび記録データをそれぞれ記録した。これにより、記録物を得た。
【００７１】
この判別用データおよび記録データの記録には、インクジェットプリンタ（セイコーエプソン社製  ＴＭ−Ｊ２１００）を用いた。
また、インクジェットプリンタには、着色インクである黒色インク（セイコーエプソン社製、商品名：ＳＪＩＣ３Ｋ）のインクカートリッジと、このインクジェットプリンタに使用するカラーインクの代わりに、前述のようにして調製した蛍光インクを収納したインクカートリッジを装着した。
【００７２】
なお、判別用データは、「＃３６３５２４９７８９９９＆」である。また、判別用データの配列方向は、記録データの配列方向（給紙方向）に対して４５°に設定した。
得られた記録物について、図５および図６に示すような照合システムを用いて真偽判定を行った。
【００７３】
なお、光学読み取り装置として、紫外線照射ランプ（井内盛栄堂社製  商品名：スキャナハンディＵＶランプＳＬＵＶ−４）、４２０ｎｍ未満の紫外線をカットするフィルタおよびデジタルカメラ（ニコン社製  商品名：ＮＩＫＯＮ  ＣＯＯＬＰＩＸ９５０）を組み合わせた装置を用いた。紫外線照射による蛍光性化合物から発せられる蛍光は、フィルタを介してデジタルカメラに取り込むようにした。また、このスキャナによるデータの読み取りは暗室にて行った。
真偽判定の結果、記録物から「３６３５２４９７８９９９」が照合用データとして検出され、予め設定された判別用データの固有データ「３６３５２４９７８９９９」と照合することにより、記録物が真正品であると判定された。
【００７４】
（実施例２）
まず、近赤外線吸収化合物としてＳＤＡ４９２７（Ｈ．Ｗ．ＳＡＮＤ  ＣＯＲＰ社製）を、また、保湿剤としてエチレングリコール、および、界面活性剤としてサーフィノール８２（Ａｉｒ  Ｐｒｏｄａｃｔｓ  ａｎｄ  Ｃｈｅｍｉｃａｌｓ製）を、それぞれ用意した。
【００７５】
次に、これらの各成分と超純水とを、ＳＤＡ４９２７：０．２ｗｔ％、エチレングリコール：７．５ｗｔ％、サーフィノール８２：２．０ｗｔ％となるように混合して、近赤外線吸収インク（判別用インク）を調製した。
そして、この近赤外線吸収インクと黒色インクとを用いて、前記実施例１と同様にして、図１に示すイメージで、判別用データおよび記録データをそれぞれ記録した。これにより、記録物を得た。
得られた記録物について、図５および図６に示すような照合システムを用いて、前記実施例１と同様にして、真偽判定を行った。
【００７６】
なお、光学読み取り装置としてＧＴ−７０００（セイコーエプソン社製）を使用し、これに７８０ｎｍの波長にピークを有する近赤外線光源を搭載した。
真偽判定の結果、記録物から「３６３５２４９７８９９９」が照合用データとして検出され、予め設定された判別用データの固有データ「３６３５２４９７８９９９」と照合することにより、記録物が真正品であると判定された。
【００７７】
（実施例３）
前記実施例１と同様にして調製した蛍光インクと、前記実施例２と同様にして調製した近赤外線吸収インクとを、容量比が１：１となるように混合して判別用インクを調製した。
そして、この判別用インクと黒色インクとを用いて、前記実施例１と同様にして、図１に示すイメージで、判別用データおよび記録データをそれぞれ記録した。これにより、記録物を得た。
【００７８】
得られた記録物について、前記実施例２と同様の照合システムを用いて、前記実施例２と同様にして、真偽判定を行った。
真偽判定の結果、記録物から「３６３５２４９７８９９９」が照合用データとして検出され、予め設定された判別用データの固有データ「３６３５２４９７８９９９」と照合することにより、記録物が真正品であると判定された。
【００７９】
（比較例）
蛍光インクにより記録する判別用データを「３６３５２４９７８９９９」としたこと、すなわち、判別用データにスタートコードおよびストップコードを設けなかったこと以外は、実施例１と同様にして記録物を得た。
得られた記録物について、前記実施例１と同様の照合システムを用いて、前記実施例１と同様にして、真偽判定を行った。
真偽判定の結果、記録物から照合用データが検出されず、記録物が偽造品であると判定された。
【図面の簡単な説明】
【図１】本発明の記録物の実施形態を示す模式図である。
【図２】図１に示す記録物に記録された判別用データの構成を示す図である。
【図３】インクジェットヘッドの外観斜視図である。
【図４】図３中のＸ−Ｘ線断面図である。
【図５】照合システムの全体構成を示すブロック図である。
【図６】図５に示す照合システムが備えるデータ照合部を示すブロック図である。
【符号の説明】
１……判別用データ  １１……固有データ  １２……スタートコード  １３……ストップコード  ２……記録データ  １０……記録用紙  １００……記録物
３……インクジェットヘッド  ３１……ノズル板  ３２……キャビティ板  ３３……配線板  ３４……圧力室  ３５……オリフィス  ３６……共通インク室  ３７……振動板  ３８……振動室  ３９……個別電極  ４０……インク液滴  ３１３……ノズル孔  ３１４……第１のノズル孔群  ３１５……第２のノズル孔群  ４……照合システム  ４１……光学読み取り装置  ４２……画像メモリ  ４３……フィールド検出部  ４４……文字切出部  ４５……文字認識部、４６……認識結果メモリ、４７……データ照合部  ４７１……照合用データ検出部、４７２……読み取り結果メモリ  ４７３……桁数カウント部  ４７４……判定部  ４８……表示部
【図１】
2004291476.tif 000003
【図２】
2004291476.tif 000004
【図３】
2004291476.tif 000005
【図４】
2004291476.tif 000006
【図５】
2004291476.tif 000007
【図６】
2004291476.tif 000008